(57)【特許請求の範囲】
【請求項１】
扉１に固着される固定ケース２の軸受筒部３に内筒４を回転可能かつ前後方向に移動不能に装着し、内筒４の後面に止め金板５を固着し、内筒４内に回転不能かつ前後方向に移動可能にハンドル６の軸筒部７を嵌挿し、軸筒部７をバネ８によって突出方向に移動付勢し、軸筒部７に錠前ユニット９を嵌め込み固着し、軸筒部７を内筒４に対して錠止する錠止機構１０を錠前ユニット９のロータ１１に連動させたポップアウト型扉用ロックハンドル装置において、
錠前ユニット９の固定本体１２の側面部に軸線と平行な平坦面１３を片側又は両側に形成し、軸筒部７の中間部内周面に突出形成したガード鍔部１４の内側に錠前ユニット９の固定本体１２が嵌挿される受孔１５を形成し、受孔１５の内側に錠前ユニット９の前記平坦面１３に当接する阻止用平坦面１６を形成し、錠前ユニット９の固定本体１２の外周ねじ部１７に螺合固定される固定リング１８の外周面に環状溝１９を形成し、ハンドル６の軸筒部７の２個の側面開口２０から挿入され、軸筒部７に締付け固着されるＵ字形組立金具２１の二股の脚板部２２に内面突起２３を形成し、該内面突起２３を前記固定リング１８の環状溝１９に係合させ、前記各脚板部２２には前記内面突起２３よりも前側の部位に、該内面突起２３より内側に突き出すように阻止用平坦壁部２４を張出し形成し、該阻止用平坦壁部２４の内側面を固定本体１２の前記平坦面１３に当接させ、ガード鍔部１４の後面側に規制突起２５を形成し、周面切欠部の内壁面２７，２８が規制突起２５に接離してロータ１１の回転範囲を一定角度に規制する角度規制円盤２９をロータ１１の角軸部２６に相対回転不能に嵌め、ロータ１１のねじ軸部３０に螺合した固着用ナット３１を角度規制円盤２９の後面に当接させ、Ｕ字形組立金具２１の脚板部２２の前記各阻止用平坦壁部２４の後面に前記固定リング１８の前面を対面させたことを特徴とするポップアウト型扉用ロックハンドル装置の錠前ユニット組込み構造。
【発明の詳細な説明】
【０００１】
【発明が属する技術分野】
本発明は自動販売機などに使用されるポップアウト型扉用ロックハンドル装置における錠前ユニット組込み構造に関するものである。
【０００２】
【従来の技術】
自動販売機類に広く使用されているポップアウト型扉用ロックハンドル装置は、扉に固着される固定ケースの軸受筒部に内筒を回転可能かつ前後方向に移動不能に装着し、内筒の後面に止め金板を固着し、内筒内に回転不能かつ前後方向に移動可能に嵌挿したハンドルの軸筒部をバネによって突出方向に移動付勢し、軸筒部に錠前ユニットを嵌め込み固着し、軸筒部を内筒に対して錠止する錠止機構を錠前ユニットのロータに連動させている。
【０００３】
自動販売機類に対する近時の盗犯は暴力的傾向にあり、前記錠前ユニットと軸筒部の正面境界部分をその直径上の２箇所において電動ドリルで前後方向に受孔を穿孔し、盗犯者が自作したＴ字形回転操作具の先端部の二股突起部をそれらの受孔に挿入し、該回転操作具を介して錠前ユニットに強大な回転モーメントを負荷し、錠前ユニットと軸筒部間の固着部材をねじ切る事が行われている。
【０００４】
このように固着部材をねじ切られた錠前ユニットは軸筒部から引き抜かれ、前記錠止機構も順次に解体破壊され、ハンドルの握り部が固定ケースの軸受筒部からポップアウトして、ハンドルを自由に回転操作できるようになってしまう。
【０００５】
【発明が解決しようとする課題】
したがって本発明の目的は、錠前ユニットと軸筒部間の固着手段のねじ切り破壊と錠前ユニットの軸筒部からの引き抜きに対する抵抗力を高め、防犯性能を向上させたポップアウト型扉用ロックハンドル装置における錠前ユニット組込み構造を提供することである。
【０００６】
【課題を解決するための手段】
以下、添付図面中の参照符号を用いて説明すると、本発明が対象とするポップアウト型扉用ロックハンドル装置は、扉１に固着される固定ケース２の軸受筒部３に内筒４を回転可能かつ前後方向に移動不能に装着し、内筒４の後面に止め金板５を固着し、内筒４内に回転不能かつ前後方向に移動可能にハンドル６の軸筒部７を嵌挿し、軸筒部７をバネ８によって突出方向に移動付勢し、軸筒部７に錠前ユニット９を嵌め込み固着し、軸筒部７を内筒４に対して錠止する錠止機構１０を錠前ユニット９のロータ１１に連動させたものである。
【０００７】
本発明の錠前ユニット組込み構造の特徴とするところは、錠前ユニット９の固定本体１２の側面部に軸線と平行な平坦面１３を片側又は両側に形成し、軸筒部７の中間部内周面に突出形成したガード鍔部１４の内側に錠前ユニット９の固定本体１２が嵌挿される受孔１５を形成し、受孔１５の内側に錠前ユニット９の前記平坦面１３に当接する阻止用平坦面１６を形成し、錠前ユニット９の固定本体１２の外周ねじ部１７に螺合固定される固定リング１８の外周面に環状溝１９を形成し、ハンドル６の軸筒部７の２個の側面開口２０から挿入され、軸筒部７に締付け固着されるＵ字形組立金具２１の二股の脚板部２２に内面突起２３を形成し、該内面突起２３を前記固定リング１８の環状溝１９に係合させ、前記各脚板部２２には前記内面突起２３よりも前側の部位に、該内面突起２３より内側に突き出すように阻止用平坦壁部２４を張出し形成し、該阻止用平坦壁部２４の内側面を固定本体１２の前記平坦面１３に当接させ、ガード鍔部１４の後面側に規制突起２５を形成し、周面切欠部の内壁面２７，２８が規制突起２５に接離してロータ１１の回転範囲を一定角度に規制する角度規制円盤２９をロータ１１の角軸部２６に相対回転不能に嵌め、ロータ１１のねじ軸部３０に螺合した固着用ナット３１を角度規制円盤２９の後面に当接させ、Ｕ字形組立金具２１の脚板部２２の前記各阻止用平坦壁部２４の後面に前記固定リング１８の前面を対面させたことである。
【０００８】
【発明の実施の形態】
図示の実施例では、錠前ユニット９の固定本体１２の横断面は、一対の平行直線の両端部間を一対の円弧線で連絡した小判形断面になっており、前記平坦面１３は前記平行直線を軸方向に沿って移動させることによって形成されている。
ガード鍔部１４の後面側には規制突起２５を形成してあり、ロータ１１の角軸部２６には、周面切欠部の内壁面２７，２８が規制突起２５に接離してロータ１１の回転範囲を一定角度に規制する角度規制円盤２９を相対回転不能に嵌めてある。ロータ１１のねじ軸部３０に螺合した固着用ナット３１は角度規制円盤２９の後面に当接している。
【０００９】
ロータ１１のねじ軸部３０の横断面は、一対の平行直線の両端部間を一対の円弧線で連絡した小判形断面になっており、固着用ナット３１の後面側に突き出した部分には、軸筒部７の錠止機構１０へのジョイント部材３２がロータ１１と一体回転するように嵌められている。
組立金具２１は基部の透孔３３から挿入されるビス３４によって、軸筒部７の内壁部７ａに締付け固着されている。組立金具２１と固定リング１８は、錠前ユニット９の軸筒部７に対する固着部材を構成している。
【００１０】
【発明の効果】
以上のように構成された本発明のポップアウト型扉用ロックハンドル装置における錠前ユニット組込み構造では、錠前ユニット９の回転阻止は、軸筒部７のガード鍔部１４の受孔１５の内側に形成した阻止用平坦面１６を、錠前ユニット９の固定本体１２の側面部に形成した平坦面１３に当接させるとともに、軸筒部７の側面開口２０に挿入固定されるＵ字形組立金具２１の各脚板部２２に形成した阻止用平坦壁部２４の内側面を固定本体１２の前記平坦面１３に当接させたことによって行なわれており、また、ロータ１１の角軸部２６に嵌めた角度規制円盤２９をガード鍔部１４の後面側に配置し、ロータ１１のねじ軸部３０に螺合した固着用ナット３１を角度規制円盤２９の後面に当接させているとともに、Ｕ字形組立金具２１の脚板部２２の前記各阻止用平坦壁部２４を、前記内面突起２３よりも前側の部位において該内面突起２３より内側に突き出すように張り出し形成し、当該各阻止用平坦壁部２４の後面に前記固定リング１８の前面を対面させているため、錠前ユニット９のねじ切りと引き抜きに対する抵抗力は格段に増強され、電動ドリルとＴ字形回転操作具による攻撃に対して強い扉用ロックハンドル装置が得られる。
【図面の簡単な説明】
【図１】本発明の一実施例に係る錠前ユニット組込み構造を使用したポップアウト型扉用ロックハンドル装置の鍵抜き取り状態の正面図である。
【図２】図１のA−A線断面図である。
【図３】図２のB−B線断面図である。
【図４】図２のC−C線断面図である。
【図５】図１の扉用ロックハンドル装置に使用したU字形組立金具の正面図である。
【図６】図５の組立金具の右側面図である。
【図７】図５の組立金具の背面図である。
【図８】図７のD−D線断面図である。
【符号の説明】
１  扉
２  固定ケース
３  軸受筒部
４  内筒
５  止め金板
６  ハンドル
７  軸筒部
８  バネ
９  錠前ユニット
１０  錠止機構
１１  ロータ
１２  固定本体
１３  平坦面
１４  ガード鍔部
１５  受孔
１６  阻止用平坦面
１７  外周ねじ部
１８  固定リング
１９  環状溝
２０  側面開口
２１  Ｕ字形組立金具
２２  脚板部
２３  内面突起
２４  阻止用平坦壁部
【図１】
0003607235.tif 000002
【図２】
0003607235.tif 000003
【図３】
0003607235.tif 000004
【図４】
0003607235.tif 000005
【図５】
0003607235.tif 000006
【図６】
0003607235.tif 000007
【図７】
0003607235.tif 000008
【図８】
0003607235.tif 000009